(57)【特許請求の範囲】
【請求項１】
自動販売機の前面外扉に画成した商品見本展示室の室内で、商品選択ボタンに並置して電照板の裏面側に接近配置した販売商品の価格, 冷温状態の表示パネルを保持するための表示パネル保持装置であって、表示パネルを上方から差し込み保持する左右に長いホルダ組立体と、該ホルダ組立体の左右両端に設けたホルダ端枠と、該ホルダ端枠に軸支連結して商品選択ボタンの台枠背面に固定した支持枠とからなり、前記ホルダ端枠および支持枠を樹脂成形品とし、前記ホルダ端枠に一体形成した円筒状の軸受部に支持枠と一体形成した軸部を嵌め込んで可倒可能にヒンジ結合することにより前記支持枠を介してホルダ組立体を表示パネルとともに後方へ可倒可能に支持したことを特徴とする自動販売機の表示パネル保持装置。
【請求項２】
請求項１記載の表示パネル保持装置において、ホルダ端枠と支持枠との間に、ホルダ組立体を直立姿勢，傾倒姿勢に保持する掛け合い式ストッパを設けたことを特徴とする自動販売機の表示パネル保持装置。
【請求項３】
請求項１記載の表示パネル保持装置において、ホルダ組立体が左右両端のホルダ端枠とホルダ端枠の間に架け渡した帯状のホルダ板とからなり、かつホルダ端枠にフック爪を設けるとともに、該フック爪をホルダ板の両端に開口した角穴へ嵌め込んでホルダ端枠とホルダ板の間を係止結合することを特徴とする自動販売機の表示パネル保持装置。
【請求項４】
請求項３記載の表示パネル保持装置において、ホルダ板の長手方向の中間に角穴を開口し、該角穴に分割形の表示パネルを保持するフック爪付きの中間仕切枠を嵌め込み式に係止固定したことを特徴とする自動販売機の表示パネル保持装置。
【発明の詳細な説明】
【０００１】
【発明の属する技術分野】
本発明は、自動販売機の前面外扉に画成した商品見本展示室の室内で、商品選択ボタンに並置して電照板の裏面側に近接配置した販売商品の価格，  冷温状態の表示パネルを保持するための表示パネル保持装置に関する。
【０００２】
【従来の技術】
本発明の実施対象となる自動販売機、および自動販売機の商品展示室内に配備した表示パネル保持装置の従来構造を図６，図７に示す。まず、図６において、１は自動販売機の前面外扉、２は外扉１の前面側に画成した商品展示室、３は金銭投入部、４は商品取出口であり、商品展示室２は前面が透明な電照板５で覆われており、その内部には上下段に分けて商品見本６が陳列（図示されてないが商品見本６の陳列台が外扉２背面に取付けた背面扉の板面に装着されている）されており、その前方には商品選択ボタン７、および商品見本６，商品選択ボタン７と対応して販売商品の価格，冷温状態（ＣＯＬＤ，ＨＯＴ）を表記した通称「サブ電照板」と呼ばれる透光性シートで作られた帯状の表示パネル８を配し、前記陳列台の中に組み込んだ照明灯（蛍光灯）で明るく照らし出すようにしている。ここで、前記の表示パネル８は、価格表紙パネルと冷，温表示パネル（通常はＣＯＬＤ表示パネルが青色，ＨＯＴ表示パネルが赤色に色分けされている）を前後に重ね合わせた上で、図７で示すように商品選択ボタン７の台枠７ａ（台枠７ａは電照板５を貫通して裏面側に突き出しており、その前面側に商品選択用の押ボタンが左右に並んでいる）の左右両端にねじ止めしたパネルホルダ９，および中間位置にネジ止めした中間仕切枠１０の間にまたがって上方より差し込み式に架け渡して電照板５の裏面側に直立姿勢に保持されている。なお、１１は止めねじである。
【０００３】
【発明が解決しようとする課題】
ところで、前記のように表示パネル８を電照板５の裏面側に接近してパネルホルダ９に差し込み支持した従来装置の構造では次記のような問題点がある。
すなわち、自動販売機のロケーション先で商品展示室２の室内を清掃する場合に、電照板５のその裏面側に配置した表示パネル８とが接近しているために、このままでは表示パネル８の前面，および表示パネルと対向した電照板５の板面の清掃が困難である。そこで、従来では清掃の都度、表示パネル８をホルダ９，中間仕切枠１０から外した上で電照板５の内面を清掃しているが、この場合でもパネルホルダ９，中間仕切枠１０は固定されたままであるので、部分的に十分に清掃できない部分が生じる。
【０００４】
本発明は上記の点にかんがみなされたものであり、その目的は前記課題を解決し、商品展示室内の清掃時に表示パネル，およびパネル保持機構との干渉なしに電照板の内面が楽に清掃できるように改良した自動販売機の表示パネル保持装置を提供することを目的とする。
【０００５】
【課題を解決するための手段】
上記目的を達成するために、本発明によれば、表示パネルを上方から差し込み保持する左右に長いホルダ組立体と、該ホルダ組立体の左右両端に設けたホルダ端枠と、該ホルダ端枠に軸支連結して商品選択ボタンの台枠背面に固定した支持枠とで表示パネル保持装置を構成し、ホルダ端枠および支持枠を樹脂成形品とし、ホルダ端枠に一体形成した円筒状の軸受部に支持枠と一体形成した軸部を嵌め込んで可倒可能にヒンジ結合して前記支持枠を介してホルダ組立体を表示パネルとともに後方へ可倒可能に支持するものとする。
【０００６】
かかる構成で、常時は表示パネルを差し込んだホルダ組立体を直立姿勢に保持し、商品展示室内の清掃時にはホルダ組立体を後方に倒して傾倒姿勢に支える。これにより、電照板と表示パネルとの間が離間して両者間に十分な清掃作業スペースが確保され、表示パネルを取り外すことなく電照板の内面を隅々まで楽に清掃できる。
【０００７】
また、前記構成のパネル保持装置は、各部構造を次記のような具体的形態で構成することができる。
１）ホルダ端枠と支持枠との間には、ホルダ組立体を直立姿勢，傾倒姿勢に保持する掛け合い式ストッパを設ける。
【０００８】
２）ホルダ組立体を左右両端のホルダ端枠とホルダ端枠の間に架け渡した帯状のホルダ板とから構成し、かつホルダ端枠にフック爪を設けるとともに、該フック爪をホルダ板の両端に開口した角穴へ嵌め込んでホルダ端枠とホルダ板の間を止めねじを使わずに係止結合する。さらに、ホルダ板の長手方向の中間に角穴を開口し、該角穴に分割形の表示パネルを保持するフック爪付きの中間仕切枠を嵌め込み式に係止固定し、価格，冷温の表示パネルを分割して支持できるようにする。
【０００９】
【発明の実施の形態】
以下、本発明の実施例を図面に基づいて説明する。なお、実施例の図中で図７に対応する同一部材には同じ符号が付してある。
まず、本発明による表示パネル保持装置の全体構成を図１に示す。図において、１２は価格表示パネル８ａ，コールド表示パネル８ｂ，ホット表示パネル８ｃの３枚を組とする表示パネル８を差し込み保持するホルダ組立体であり、該ホルダ組立体１２は左右に細長い帯状のホルダ板（表示パネル８を上半部を背後から支える）１３と、該ホルダ板１３の両端に結合したホルダ端枠１４との組立体としてなる。そして、ホルダ組立体１２は、後方へ傾倒可能となるように、左右両端のホルダ端枠１４に軸支連結した支持枠１５を介して商品選択ボタン７の台枠７ａの背面に止めねじ１１で固定されている。
【００１０】
ここで、ホルダ組立体１２の詳細構造は図２に示すごとくであり、樹脂成形品として作られたホルダ端枠１４の本体は表示パネル８の端部を上方から差し込み保持する溝部１４ａを有し、さらにその背面側にフック爪１４ｂが、また下部には円筒状の軸受部１４ｃ，および後方に向け円弧状に突き出した突起片１４ｄが一体に成形されている。また、ホルダ板１３は断面Ｕ字形のチャンネル板であり、その両端部には角穴１３ａが開口しており、この角穴１３ａに前記したホルダ端枠１４のフック爪１４ｂを嵌め込んで両者間を結合している。
【００１１】
一方、支持枠１５は、図３で示すように樹脂成形品で作られた化粧枠としてなり、その背面には止めねじ１１を挿入するねじ穴１５ａが開口し、さらに前記ホルダ端枠１４の軸受部１４ｃ，突起片１４ｄに対向して内側に突き出す軸部１５ｂ，およびストッパ１５ｃが一体成形されている。そして、ホルダ組立体１２を自動販売機の商品展示室内に装着するには、図示のようにホルダ端枠１４の軸受部１４ｃに支持枠１５の軸部１５ｂを挿入した上で、支持枠１５を止めねじ１１を介して商品選択ボタン７の台枠７ａから後方に突き出した取付座７ｂの左右両端にねじ止め固定する。これにより、ホルダ組立体１２は、支持枠１５を介して矢印Ｐ方向へ傾倒可能に支持される。
【００１２】
さらに、図４はホルダ板１３に対する中間仕切枠１６（図７で述べた中間仕切枠１０に相応する部材）の取付構造を表した実施例であり、樹脂成形品としてなる中間仕切枠１６は背面側に左右一対のフック爪１６ａを有し、ホルダ板１３の中間位置に開口した角穴１３ａに前記フック爪１６ａを嵌め込んで係止固定するようにしている。
【００１３】
図５（ａ），（ｂ）  は前記構成になる表示パネル保持装置の使用状態を表す図であり、（ａ）  図は表示パネル８を直立姿勢に保持した定常位置、また（ｂ）  図は商品展示室内の清掃時に表示パネル８を後方に傾倒させた状態を表している。すなわち、（ａ）  図の定常位置では、ホルダ端枠１４に設けた突起片１４ｄの先端段部に支持枠１５から突き出したストッパ１５ｃが突き当たってホルダ端枠１４を起立姿勢に保持しており、この状態ではホルダ組立体１２に差し込んだ表示パネル８はその表示面を前方に向けて商品展示室の前面を覆う電照板５（図１参照）の裏面側に直立している。また、表示パネル８の背後から照明する蛍光灯の光は商品選択ボタン７の台枠７ａとホルダ組立体１２のホルダ板１３との間の間隙を通じてホルダ組立体１２に差し込んだ表示パネル８の表示部を明るく電照している。
【００１４】
一方、商品展示室内を清掃する際には、自動販売機の外扉１（図６参照）を開放した上で、商品展示室内に手を入れて支持枠１５のストッパ１５ｃとホルダ端枠１４の突起片１４ｄとの掛け合いを外し、（ｂ）  図で示すように突起片１４ｄをストッパ１５ｃの下側に潜らせながら、ストッパ１５ｃが端枠１４の本体後壁に突き当たるまで表示パネル８と一緒にホルダ組立体１２を後方に倒して傾倒姿勢に保持する。これにより、電照板５（図１参照）とホルダ組立体１２の間が離間して両者間に十分な清掃作業スペースが確保でき、表示パネル８，および電照板５の裏面全域を部分的な拭き残しなしに隅々まで清掃できる。また、清掃後はホルダ組立体１２を（ａ）  図の起立姿勢に戻すことで、突起片１４ｄの先端にストッパ１５ｃが当たって定常位置に保持される。
【００１５】
【発明の効果】
以上述べたように、本発明の構成によれば、次記の効果を奏する。
１）ホルダ端枠に一体形成した円筒状の軸受部に支持枠と一体形成した軸部を嵌め込んで可倒可能にヒンジ結合することによりホルダ組立体の両端を支持枠に軸支連結して可倒可能に支持したことにより、自動販売機の商品展示室内を清掃する際には、表示パネルとともにホルダ組立体を後方に傾倒することで、商品展示室の前面を覆った電照板と表示パネルとの間に十分な清掃スペースを確保することができ、これにより従来構造のように清掃の都度、表示パネルを取り外す必要がなく電照板の内面を隅々まで清掃することができて清掃作業性の改善が図れる。
【００１６】
２）また、請求項２の構成を採用することで、表示パネルとともにホルダ組立体を直立姿勢，傾倒姿勢に安定支持できる。
３）さらに、請求項３，４の構成を採用することで、ねじ止め作業の必要なしにフック爪の嵌め合わせによるワンタッチ操作でパネル組立体を簡単に組み立てることができる。また、ホルダ端枠を共通部品として長さの異なるホルダ板にも対応できるほか、ユーザーの仕様に合わせて設定した表示パネルの分割支持にも容易に対応できる。
【図面の簡単な説明】
【図１】本発明の実施例による表示パネル保持装置の全体構造を表す背面側から見た分解斜視図
【図２】図１におけるホルダ組立体の詳細構造を示す拡大斜視図
【図３】図１におけるホルダ組立体，支持枠，商品選択ボタンの台枠との相関関係を表す要部拡大図
【図４】図１のホルダ板に装着する中間仕切枠の取付構造を表す斜視図
【図５】図１に示した表示パネル保持装置の使用状態を表す図であり、（ａ）  は表示パネルを起立姿勢に保持した定常状態図、（ｂ）  は表示パネルを後方に倒した傾倒状態図
【図６】本発明の実施対象となる自動販売機の正面図
【図７】従来における表示パネル保持装置の構成を示す背面斜視図
【符号の説明】
１    自動販売機の前面外扉
２    商品展示室
５    電照板
７    商品選択ボタン
７ａ  台枠
８    表示パネル
１１    止めねじ
１２    ホルダ組立体
１３    ホルダ板
１３ａ  角穴
１４    ホルダ端枠
１４ａ  溝部
１４ｂ  フック爪
１４ｃ  軸受部
１４ｄ  突起片
１５    支持枠
１５ｂ  軸部
１５ｃ  ストッパ
１６    中間仕切枠
１６ａ  フック爪
【図１】
0003555815.tif 000002
【図２】
0003555815.tif 000003
【図３】
0003555815.tif 000004
【図４】
0003555815.tif 000005
【図５】
0003555815.tif 000006
【図６】
0003555815.tif 000007
【図７】
0003555815.tif 000008